(57)【要約】【課題】訴求性を上昇させると共に、アピール対象とする商品の変更やアピール内容の変更にも容易に対応することができる表示シート、自動販売機用ダミー体及び自動販売機を提供すること。【解決手段】ダミー体２の頭部２ａを被覆する被覆部１２と垂下部１３とロック部１４とを備え、被覆部は広告面部１５と開口１６ａを有する底部１６と背部１７とを備え、背部１７に設けた係止部１８を底部１６に設けた被係止部１９に係止することにより、広告面部１５と底部１６と背部１７とで筒を形成するように構成してあり、筒内に折り込むと筒に突っ張り力を付与する突っ張り片２０を広告面部、底部又は背部に連設してある一方、垂下部１３は被覆部１２の底部１６から垂下し、ロック部１４は展示台８とダミー体２の下部との隙間Ｇに沿わせてその前側から挿入されるように構成してあり、また、展開すると一枚のシート体になるように構成してある。【選択図】図２
2009093331.tif 000002
【特許請求の範囲】
【請求項１】
自動販売機用ダミー体に着脱自在に装着される表示シートであって、前記ダミー体の頭部を被覆する被覆部と、この被覆部から垂下する垂下部と、この垂下部の下端に連設したロック部とを備え、前記被覆部は、前面側に位置する広告面部と、この広告面部の下部から後側に向けて延び、前記ダミー体の頭部が挿入される開口を有する底部と、前記広告面部の上部から後側に向けて延びる背部とを備え、さらに、前記底部または背部のいずれか一方に設けた係止部を他方に設けた被係止部に係止することにより、広告面部と底部と背部とで筒を形成するように構成してあり、かつ、この筒内に折り込むと筒に突っ張り力を付与する突っ張り片を前記広告面部、底部または背部のいずれかに連設してある一方、前記垂下部は、前記被覆部の底部または背部から垂下し、他方、前記ロック部は、自動販売機の展示台とこの展示台に設けたダミー体取付用孔に取り付けたダミー体の下部との隙間に沿わせてその前側または横側から挿入されるように構成してあり、また、展開すると一枚のシート体になるように構成してある表示シート。
【請求項２】
前記ロック部を前記隙間に挿入した状態で、当該ダミー体が取り付けられたダミー体取付用孔以外のダミー体取付用孔に係止可能な係止片を前記ロック部に連設してある請求項１に記載の表示シート。
【請求項３】
前記被覆部の開口の縁が、ダミー体の頭部または首部に形成された被係合部に係合するように構成してある請求項１または２に記載の表示シート。
【請求項４】
前後に湾曲する状態で前記垂下部を被覆部から垂下させてある請求項１〜３のいずれかに記載の表示シート。
【請求項５】
請求項１〜４のいずれかに記載の表示シートが着脱自在に装着された自動販売機用ダミー体であって、実商品の下面を除く前部外面または下面を除く外面全体を象ったシート状の本体を有している自動販売機用ダミー体。
【請求項６】
請求項５に記載の自動販売機用ダミー体を、展示室内の展示台に複数並設した前記ダミー体取付用孔に着脱自在に取り付けてある自動販売機。
【発明の詳細な説明】
【技術分野】
【０００１】
本発明は、例えばペットボトル、缶、壜等の容器に入った炭酸飲料、茶、水、清涼飲料水、コーヒー等の飲料、あるいは、煙草、乾電池等を無人販売するための自動販売機に設置したダミー体に用いられる表示シート、自動販売機用ダミー体及び自動販売機に関する。
【背景技術】
【０００２】
例えば、各種の容器入り飲料の自動販売機においては、販売対象とする実商品の展示はせず、実商品の外観を反映させた等身大のダミー体を前面部に展示してある。
【０００３】
即ち、前記自動販売機は、透光（透明）パネルで前面を覆った展示室を有している。そして、展示室内には、ダミー体取付用孔を複数有する展示台を設けてあり、これにより、展示台に対してダミー体を着脱自在に取り付けることができるように構成してある。従って、斯かる自動販売機では、新商品の発売や季節の変化等に伴って行われる商品の入れ替えに対応させるためのダミー体の交換を容易に行うことができる。
【発明の開示】
【発明が解決しようとする課題】
【０００４】
ところで、新商品やキャンペーン対象商品等、販売促進のために目立たせたい商品がある場合、商品アピール用のキャッチコピーや図柄等が印刷されたシールを、展示室前面の透光パネルや展示室内奥側の壁面に貼着する手法が従来とられている。
【０００５】
しかし、上記のような手法では、販売促進期間の終了等に伴って行う前記シールの剥離作業に手間がかかる上、剥離作業に失敗してシールの一部が透光パネルや壁面に残存するおそれがある。また、上記シールによる平面的な表示のみでは、訴求性（商品アピール力）の向上を図ることが困難である。
【０００６】
この発明は上述の事柄に留意してなされたもので、その目的は、訴求性を上昇させると共に、アピール対象とする商品の変更やアピール内容の変更にも容易に対応することができる表示シート、自動販売機用ダミー体及び自動販売機を提供することである。
【課題を解決するための手段】
【０００７】
上記目的を達成するために、本発明の表示シートは、自動販売機用ダミー体に着脱自在に装着される表示シートであって、前記ダミー体の頭部を被覆する被覆部と、この被覆部から垂下する垂下部と、この垂下部の下端に連設したロック部とを備え、前記被覆部は、前面側に位置する広告面部と、この広告面部の下部から後側に向けて延び、前記ダミー体の頭部が挿入される開口を有する底部と、前記広告面部の上部から後側に向けて延びる背部とを備え、さらに、前記底部または背部のいずれか一方に設けた係止部を他方に設けた被係止部に係止することにより、広告面部と底部と背部とで筒を形成するように構成してあり、かつ、この筒内に折り込むと筒に突っ張り力を付与する突っ張り片を前記広告面部、底部または背部のいずれかに連設してある一方、前記垂下部は、前記被覆部の底部または背部から垂下し、他方、前記ロック部は、自動販売機の展示台とこの展示台に設けたダミー体取付用孔に取り付けたダミー体の下部との隙間に沿わせてその前側または横側から挿入されるように構成してあり、また、展開すると一枚のシート体になるように構成してある（請求項１）。
【０００８】
上記表示シートにおいて、前記ロック部を前記隙間に挿入した状態で、当該ダミー体が取り付けられたダミー体取付用孔以外のダミー体取付用孔に係止可能な係止片を前記ロック部に連設してあってもよい（請求項２）。
【０００９】
上記表示シートにおいて、前記被覆部の開口の縁が、ダミー体の頭部または首部に形成された被係合部に係合するように構成してあってもよい（請求項３）。
【００１０】
上記表示シートにおいて、前後に湾曲する状態で前記垂下部を被覆部から垂下させてあってもよい（請求項４）。
【００１１】
上記目的を達成するために、本発明の自動販売機用ダミー体は、請求項１〜４のいずれかに記載の表示シートが着脱自在に装着された自動販売機用ダミー体であって、実商品の下面を除く前部外面または下面を除く外面全体を象ったシート状の本体を有している（請求項５）。
【００１２】
上記目的を達成するために、本発明の自動販売機は、請求項５に記載の自動販売機用ダミー体を、展示室内の展示台に複数並設した前記ダミー体取付用孔に着脱自在に取り付けてある（請求項６）。
【発明の効果】
【００１３】
請求項１〜６に係る本発明では、訴求性を上昇させると共に、アピール対象とする商品の変更やアピール内容の変更にも容易に対応することができる表示シート、自動販売機用ダミー体及び自動販売機が得られる。
【００１４】
即ち、請求項１に係る本発明では、新商品やキャンペーン対象商品等、販売促進のために目立たせたい商品がある場合、商品アピール用のキャッチコピーや図柄等が前記広告面部や垂下部に印刷された表示シートをダミー体に装着するだけでその対応を図ることができる。
【００１５】
また、ダミー体に対する請求項１の表示シートの装着は、表示シートに設けた開口にダミー体の頭部を挿入するのみで行えるので、その着脱が非常に容易であり、シールの場合のように一部が壁面に残存する等の問題も生じない。
【００１６】
さらに、上記表示シートは、展開すると一枚のシート体になるように構成してあるので、その輸送が容易で保管の際の省スペース化を図ることもできる。
【００１７】
請求項２に係る本発明では、係止片によって、表示シートを展示台に対してより安定性良く強力に固定することができる。
【００１８】
請求項３に係る本発明では、前記係合によってダミー体に対する表示シートの装着状態を良好に保つことが容易となる。
【００１９】
請求項４に係る本発明では、上記のように表示シートを装着したダミー体を展示室に展示すると、商品アピール用のキャッチコピーや図柄を表示する垂下部が展示室外部から目立つ立体的形状で保持されるので、訴求力が飛躍的に向上することになる。
【００２０】
請求項５及び６に係る本発明では、上記発明の効果を奏する自動販売機用ダミー体及び自動販売機が得られる。
【発明を実施するための最良の形態】
【００２１】
以下、本発明の実施の形態について図面を参照しながら説明する。ここで、図１は、本発明の一実施の形態に係る表示シート１付き自動販売機用ダミー体２を備えた自動販売機の構成を概略的に示す斜視図、図２は、前記自動販売機の要部の構成を概略的に示す説明図である。
【００２２】
図１に示すように、前記自動販売機は、商品補充のために開閉自在に設けられた扉３を前面に有し、この扉３の上部には、複数のダミー体２を展示するための展示室４を上下２段に設けてある。そして、各展示室４の下部には、各ダミー体２に関連付けて商品選択用の押しボタン５が配置され、また、自動販売機の前面下部には、商品取り出し口６が設けられている。尚、図示は省略してあるが、前記自動販売機は、硬貨投入口、紙幣投入口、釣り銭口、釣り銭返却用の操作レバー等も備えている。
【００２３】
また、図１に示すように、各展示室４の前面を透光（透明）パネル７で覆ってあると共に、各展示室４の下部には展示台８を設けてある。ここで、前記透光パネル７は、展示室４内のダミー体２を外部から見ることができるように光透過性を有しており、例えば透明の合成樹脂板からなる。また、図２に示すように、前記展示台８にはダミー体取付用孔９を複数並設してあり、各孔９に対してダミー体２を着脱自在に取り付けることができるように構成してある。さらに、展示台８の下方には例えば螢光灯である照明光源（図示していない）を配置してあり、照明光源からの光は、前記孔９を経て前記ダミー体２に照射され、この照射により各ダミー体２がライトアップされることになる。
【００２４】
前記ダミー体２は、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、真空成形または圧空成形によって形成してある。ここで、図１及び図２に示すように、ダミー体２は実商品の略前半分のみの外観を反映する（実商品の下面を除く前部外面を象ったシート状の本体を有している）所謂ハーフダミー体であり、上記素材を用いて、真空成形または圧空成形によってまず半割り体を形成し、その後、例えばトムソン法による押切りを行うことによって製作してある。
【００２５】
さらに、ダミー体２は、図２に示すように、略円形状の孔９の前側周縁に着脱自在に係合する係合部１０を下部に有し、また、この係合部１０が孔９の周縁に係合した際にダミー体２が正面向きを維持するように、孔９の左右の凹入部９ａに嵌合する突起部１１を係合部１０の左右両側に有している。
【００２６】
そして、図１中の拡大図及び図２に示すように、前記ダミー体２に前記表示シート１を取り付けてある。以下、この表示シート１の構成について、図３〜図６をも参照しながら説明する。ここで、図３（Ａ）及び（Ｂ）は、前記ダミー体２に取り付けた表示シート１の構成を概略的に示す正面図及び側面図、図４（Ａ）及び（Ｂ）は、前記表示シート１の構成を概略的に示す斜視図及び縦断面図、図５は、前記表示シート１の構成を概略的に示す展開図、図６は、前記表示シート１の構成を概略的に示す説明図である。
【００２７】
前記表示シート１は、前記ダミー体２と同様に、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、断裁若しくは抜き加工により形成してあり、弾性復帰可能に湾曲させることができるように構成してある。
【００２８】
前記表示シート１は、図２〜図５に示すように、前記ダミー体２の頭部２ａを被覆する被覆部１２と、この被覆部１２から垂下する垂下部１３と、この垂下部１３の下端に連設したロック部１４とを備えている。
【００２９】
前記被覆部１２は、図２〜図５に示すように、前面側に位置する広告面部１５と、この広告面部１５の下部から後側に向けて延び、前記ダミー体２の頭部２ａが挿入される開口１６ａを有する底部１６と、前記広告面部１５の上部から後側に向けて延びる背部１７とを備えている。そして、広告面部１５の表面には、商品アピール用のキャッチコピーや図柄等を印刷（シルク印刷、オフセット印刷、凸印刷等）してある。
【００３０】
ここで、図２に示すように、前記被覆部１２の開口１６ａの縁は、ダミー体２の頭部または首部に形成された被係合部としての水平溝部２ｂに係合するように構成してある。
【００３１】
さらに、被覆部１２は、図３〜図５に示すように、前記底部１６又は背部１７の何れか一方（本実施形態では背部１７）に設けた係止部１８を他方（本実施形態では底部１６）に設けた被係止部（本実施形態では開口１６ａの周縁部）１９に係止することにより、広告面部１５と底部１６と背部１７とで筒を形成するように構成してあり、かつ、この筒内に折り込むと筒に突っ張り力を付与する突っ張り片２０を広告面部１５、底部１６又は背部１７の何れか（本実施形態では底部１６）に連設してある（図５参照）。
【００３２】
前記垂下部１３は、図２〜図５に示すように、前記被覆部１２の底部１６または背部１７（本実施形態では底部１６）から前後及び左右に湾曲する状態で垂下し、その表面には、商品アピール用のキャッチコピーや図柄等を印刷（シルク印刷、オフセット印刷、凸印刷等）してある。
【００３３】
前記ロック部１４は、図２〜図５に示すように、自動販売機の展示台８とこの展示台８に設けたダミー体取付用孔９に取り付けたダミー体２の下部との隙間Ｇ（図３参照）に沿わせてその前側または横側（本実施形態では前側）から挿入されるように構成してある。即ち、ロック部１４は、ダミー体２の係合部１０及び二つの突起部１１に合致する切欠部分１４ａを有している。
【００３４】
また、前記ロック部１４には、図２〜図５に示すように、ロック部１４を前記隙間Ｇに挿入した状態で、ダミー体２が取り付けられたダミー体取付用孔９以外のダミー体取付用孔９に係止可能な係止片２１を連設してある。
【００３５】
そして、上記表示シート１は、図５に示すように、展開すると一枚のシート体になるように構成してあり、これにより、その輸送が容易である上、保管の際の省スペース化を図ることもできる。尚、図５に示す破線は、表示シート１を折曲して前記被覆部１２、垂下部１３、ロック部１４、係止片２１を形成するために設けた折り曲げ線であり、例えば、表示シート１を構成するシート体に、薄肉部あるいは弱化線（ミシン線等）を設けることにより形成することができる。
【００３６】
以上の構成を有する表示シート１では、図２及び図３に示すように、開口１６ａにダミー体２の頭部２ａを挿通し、開口１６ａの縁部を、ダミー体２の被係合部としての水平溝部２ｂに係合する。このとき、展示台８の孔９に対するダミー体２の取り付けがなされていなくてもよい。また、図３（Ｂ）に示すように、表示シート１の前記折り曲げ線を適宜に折曲し、背部１７に設けた係止部１８を開口１６ａに挿入して被係止部１９としての開口１６ａの縁に係止させることにより、筒状の被覆部１２を組み立てることができる。そして、この際、突っ張り片２０を上述のように筒内に折り込み突っ張り力を付与することにより、筒状の被覆部１２を良好に保形することができる。
【００３７】
さらに、図２〜図４に示すように、前記被覆部１２から垂下部１３が垂下する状態とし、表示シート１を取り付けたダミー体２を前記孔９に取り付けた後、前記垂下部１３の下側に連設したロック部１４の切欠部分１４ａ周縁を前記隙間Ｇに挿入すると、ロック部１４（表示シート１）の材質自体が有する弾力によりロック部１４がダミー体２の下部にロックされた状態となり、これにより、表示シート１をダミー体２に装着した状態で動かないようにロックすることができる。さらに、図２に示すように、ロック部１４に連設した係止片２１を当該ダミー体２を取り付けた孔９に隣接する孔９に係止させることにより、表示シート１をより強力に固定することができる。
【００３８】
上記表示シート１では、ダミー体２に対して容易に着脱することができるので、表示シート１を交換することにより、アピール対象とする商品の変更やアピール内容の変更にも容易に対応することができる。
【００３９】
加えて、前記表示シート１は、ダミー体２に対して、図１〜図５に示した向き（垂下部１３がダミー体２の右側に位置する向き）と逆向き（垂下部１３がダミー体２の左側に位置する向き）にした状態で装着することもできる。即ち、図１〜図５に示した装着を行うための表示シート１の折り曲げ方を図６の右側に示してあり、図６の左側に、上記逆向きに装着するための表示シート１の折り曲げ方を示してあり、表示シート１をダミー体２に逆向きで装着する場合には、表示シート１の全ての折り曲げ線を、図１〜図５に示した場合と逆方向に折曲すればよい。
【００４０】
また、上記のように表示シート１を装着したダミー体２を展示室４に展示すると、それぞれに商品アピール用のキャッチコピーや図柄を表示する前記広告面部１５及び垂下部１３が展示室４外部から目立つ状態で保持され、特に、垂下部１３はダミー体２の側面を抱え込むように湾曲した立体的形状となるので、訴求力の向上を図ることができる。
【００４１】
さらに、図３（Ｂ）に示すように、ダミー体２に装着した状態の表示シート１の背部１７の上面には傾斜がついているので、背部１７の上面に塵や埃が溜まって見栄えが悪くなることも確実に防止することができる。
【００４２】
その上、表示シート１をダミー体２に装着する際に、表示シート１の開口１６ａの縁をダミー体２の水平溝部２ｂに係合させるので、図１〜図３に示すように、被覆部１２ひいては広告面部１５を水平に保つことができる。
【００４３】
なお、本発明は、上記の実施の形態に限られず、種々に変形して実施することができる。そこで、以下にその変形例について説明する。
【００４４】
まず、ダミー体２を展示室４内（展示台８）に着脱自在に取り付けるための構成の一例として、係合部２ａ及び開口９を図２に示してあるが、上記構成としては公知の種々のものを採用することができる。
【００４５】
ここで、上記実施形態では、ダミー体２自体の回転を防止するために突起部１１を設けてあるが、このようなダミー体２の回転防止のための構造を設けていなくてもよい。即ち、上記構造を設けていない場合でも、係止片２１をダミー体２を取り付けた孔９の隣の孔９に係止させる構成と、表示シート１に対してダミー体２が回転しない構成（半円状の開口１６ａに横断面視が同じく略半円状のダミー体２の頭部２ａを挿通させてある構成）とによって、ダミー体２の回転を確実に防止してダミー体２の前向き姿勢を保持することができる。
【００４６】
また、上記実施形態では、ダミー体２をハーフダミー体としてあるが、ダミー体２は実商品全体と酷似する形状の等身大をしていても（実商品の下面を除く外面全体を象ったシート状の本体を有していても）よい。この場合、前記開口１６ａの形状や大きさを適宜に変更すればよい。
【００４７】
さらに、上記実施形態では、ダミー体２を挿入するために開口１６ａを底部１６に設けているのみであるが、前記開口１６ａにダミー体２を挿入する操作の便宜に供するために、開口１６ａの後ろ側等に切り込みを入れておいてもよい。
【００４８】
また、上記実施形態では、係止部１８を背部１７に設け、被係止部１９を底部１６に設けているが、逆に、係止部１８を底部１６に設け、被係止部１９を背部１７に設けてもよい。
【００４９】
また、上記実施形態では、突っ張り片２０を底部１６に連設してあるが、これに限らず、広告面部１５又は背部１７に連設してあってもよい。
【００５０】
また、上記実施形態では、垂下部１３を前記被覆部１２の底部１６から垂下させているが、背部１７から垂下させてあってもよい。
【００５１】
また、上記実施形態では、ロック部１４を、自動販売機の展示台８とこの展示台８に設けたダミー体取付用開口９に取り付けたダミー体２の下部との隙間Ｇに沿わせてその前側から挿入するように構成してあるが、前側からではなく横側から挿入するように構成してあってもよい。
【００５２】
また、上記実施形態において、突っ張り片２０を設けていなくてもよい。
【００５３】
また、上記実施形態において、開口１６ａの縁部を被係合部としての水平溝部２ｂに係合させてあるが、このような構成を設けていなくてもよい。
【００５４】
また、上記実施形態において、係止片２１を二つ以上設け、当該ダミー体２を取り付けてある孔９以外の複数の孔に係止させるようにしてもよい。
【００５５】
例えば、係止片２１をロック部１４の左右両側に設け、当該ダミー体２を取り付けてある孔９の左右両側にある孔９にそれぞれ係止させてもよい。このように係止片２１をロック部１４の左右両側に設ける場合、図７に示すように、係止片２１とともに垂下部１３も左右一対に設け、広告面部１５も左右に延ばすことにより、広告スペースを増加することができる。尚、図７には示していないが、この場合にも前記突っ張り片２０を設けてもよいことはいうまでもない。
【図面の簡単な説明】
【００５６】
【図１】本発明の一実施の形態に係る表示シート付き自動販売機用ダミー体を備えた自動販売機の構成を概略的に示す斜視図である。
【図２】前記自動販売機の要部の構成を概略的に示す説明図である。
【図３】（Ａ）及び（Ｂ）は、前記ダミー体に取り付けた表示シートの構成を概略的に示す正面図及び側面図である。
【図４】（Ａ）及び（Ｂ）は、前記表示シートの構成を概略的に示す斜視図及び縦断面図である。
【図５】前記表示シートの構成を概略的に示す展開図である。
【図６】前記表示シートの構成を概略的に示す説明図である。
【図７】前記表示シートの変形例の構成を概略的に示す展開図である。
【符号の説明】
【００５７】
１    表示シート
２    ダミー体
２ａ  頭部
８    展示台
１２    被覆部
１３    垂下部
１４    ロック部
１５    広告面部
１６    底部
１６ａ  開口
１７    背部
１８    係止部
１９    被係止部
２０    突っ張り片
Ｇ    隙間
【図１】
2009093331.tif 000003
【図２】
2009093331.tif 000004
【図３】
2009093331.tif 000005
【図４】
2009093331.tif 000006
【図５】
2009093331.tif 000007
【図６】
2009093331.tif 000008
【図７】
2009093331.tif 000009